(57)【要約】【課題】電子投票システムによる選挙を効率的に実現し、集計結果の信頼性を向上させる。【解決手段】本発明は、投票者の投票可能な選挙について投票操作を受け付ける電子投票システムの投票装置１０に関する。投票装置１０は、投票者に与えられる記録媒体１３に記録されている投票可能な選挙の識別データと投票済みか未投票かを示す判定データとを読み出す手段２９と、判定データに基づいて投票可能な選挙の中から未投票の選挙を識別する手段３０と、未投票の選挙に対する投票留保の指示を受け付ける留保手段３１と、未投票の選挙のうち投票留保を指示されない選挙について投票操作を受け付ける投票受付手段３２と、記録媒体１３に記録されている判定データを、投票者が投票操作を行った選挙について投票済みを示す状態に変更する更新手段３３と、投票者が投票操作を行った選挙について投票結果を記録する手段３４とを具備する。【選択図】　　図１
2004133547.tif 000002
【特許請求の範囲】
【請求項１】
投票者の投票可能な選挙について投票操作を受け付ける電子投票システムの投票装置において、
前記投票者に与えられる記録媒体に記録されている前記投票可能な選挙の識別データと前記投票可能な選挙について投票済みか未投票かを示す判定データとを読み出す手段と、
前記判定データに基づいて前記投票可能な選挙の中から未投票の選挙を識別する手段と、
前記未投票の選挙に対する投票留保の指示を受け付ける留保インタフェース手段と、
前記未投票の選挙のうち前記投票留保を指示されない選挙について投票操作を受け付ける投票受付手段と、
前記記録媒体に記録されている判定データを、前記投票者が投票操作を行った選挙について投票済みを示す状態に変更する更新手段と、
前記投票者が投票操作を行った選挙について投票結果を記録する手段と
を具備したことを特徴とする投票装置。
【請求項２】
投票者を確認して前記投票者の投票可能な選挙の識別データを記録する記録媒体の発行を管理する電子投票システムの受付装置において、
前記投票者の識別データと前記投票者の投票可能な選挙の識別データと前記投票可能な選挙について前記投票者が投票済みか未投票かを示す台帳判定データとを関係付けた台帳データを読み出す手段と、
前記台帳データの前記台帳判定データについて、前記投票者が投票操作を行った選挙について投票済みを示す状態に変更し、前記投票者が投票留保を指示した選挙について未投票を示す状態を継続する更新手段と
を具備したことを特徴とする受付装置。
【請求項３】
請求項２記載の受付装置において、
前記記録媒体は、前記投票可能な選挙の識別データと前記投票可能な選挙について投票済みか未投票かを示す判定データと前記投票者の識別データとを記録し、前記投票者が投票操作を行った選挙について投票済みを示す状態に前記判定データが変更され、前記投票者が投票留保を指示した選挙について前記判定データが未投票を示す状態であり、
前記記録媒体に記録されたデータを読み出す手段を付加し、
前記更新手段は、前記記録媒体から読み出されたデータに基づいて前記台帳データを更新する
ことを特徴とする受付装置。
【請求項４】
投票者の投票可能な選挙について前記投票者による投票操作を受け付ける電子投票システムの投票装置において、
前記投票可能な選挙について投票操作を受け付ける投票受付手段と、
前記投票操作の行われた選挙の識別データと前記投票操作の行われた投票所の識別データと前記投票操作の行われた投票装置の識別データと前記投票操作の投票結果データとを、一投票に対し一ファイルの形式で記録媒体に記録する手段とを具備したことを特徴とする投票装置。
【請求項５】
投票者の投票可能な選挙について前記投票者によって投票装置に対して行われた投票操作による投票結果を開票し集計する電子投票システムの開票集計装置において、
前記投票操作の行われた選挙の識別データと前記投票操作の行われた投票所の識別データと前記投票操作の行われた投票装置の識別データと前記投票操作の投票結果データとを、一投票に対し一ファイルの形式で記録した記録媒体からデータを読み出す開票手段と、
複数の選挙について不在者投票の投票結果を受け付ける不在者投票受付手段と、
前記開票手段によって読み出されたデータと前記不在者投票の投票結果とに基づいて、前記複数の選挙の集計結果を求める集計手段と
を具備したことを特徴とする開票集計装置。
【請求項６】
投票者の投票可能な選挙について前記投票者によって投票装置に対して行われた投票操作による投票結果を開票し集計する電子投票システムの開票集計装置において、
前記投票操作の行われた選挙の識別データと前記投票操作の行われた投票所の識別データと前記投票操作の行われた投票装置の識別データと前記投票操作の投票結果データとを記録した記録媒体からデータを読み出す開票手段と、
複数の選挙について不在者投票の投票結果を受け付ける不在者投票受付手段と、
前記開票手段によって読み出されたデータと前記不在者投票の集計結果とに基づいて、前記複数の選挙の集計結果を求める集計手段と、
前記複数の選挙の識別データ毎に、前記開票手段による開票状態、前記不在者投票の投票結果の受け付け状態、前記開票手段によって読み出されたデータの集計状態、前記開票手段によって読み出されたデータと前記不在者投票の投票結果との総合集計状態、を一画面上に表示する手段と
を具備したことを特徴とする開票集計装置。
【請求項７】
投票者の投票可能な選挙について投票操作を受け付ける電子投票システムの投票装置に、
前記投票者に与えられる第１の記録媒体に記録されている前記投票可能な選挙の識別データと前記投票可能な選挙について投票済みか未投票かを示す判定データとを読み出す機能と、
前記判定データに基づいて前記投票可能な選挙の中から未投票の選挙を識別する機能と、
入力手段から前記未投票の選挙に対する投票留保の指示を受け付ける留保インタフェース機能と、
前記入力手段から前記未投票の選挙のうち前記投票留保を指示されない選挙について投票操作を受け付ける投票受付機能と、
前記第１の記録媒体に記録されている判定データを、前記投票者が投票操作を行った選挙について投票済みを示す状態に変更する更新機能と、
前記投票者が投票操作を行った選挙の投票結果を第２の記録媒体に記録する機能と
を実現させるためのプログラム。
【請求項８】
投票者を確認して前記投票者の投票可能な選挙の識別データを記録する記録媒体の発行を管理する電子投票システムの受付装置に、
記録手段から前記投票者の識別データと前記投票者の投票可能な選挙の識別データと前記投票可能な選挙について前記投票者が投票済みか未投票かを示す台帳判定データとを関係付けた台帳データを読み出す機能と、
前記台帳データの前記台帳判定データについて、前記投票者が投票操作を行った選挙について投票済みを示す状態に変更し、前記投票者が投票留保を指示した選挙について未投票を示す状態を継続し、前記記録手段に記録する更新機能とを実現させるためのプログラム。
【請求項９】
投票者の投票可能な選挙について前記投票者によって投票装置に対して行われた投票操作による投票結果を開票し集計する電子投票システムの開票集計装置に、
前記投票操作の行われた選挙の識別データと前記投票操作の行われた投票所の識別データと前記投票操作の行われた投票装置の識別データと前記投票操作の投票結果データとを、一投票に対し一ファイルの形式で記録した記録媒体からデータを読み出す開票機能と、
入力手段から複数の選挙について不在者投票の投票結果を受け付ける不在者投票受付機能と、
前記開票機能によって読み出されたデータと前記不在者投票の投票結果とに基づいて、前記複数の選挙の集計結果を求める集計機能と
を実現させるためのプログラム。
【請求項１０】
投票者の投票可能な選挙について前記投票者によって投票装置に対して行われた投票操作による投票結果を開票し集計する電子投票システムの開票集計装置に、
前記投票操作の行われた選挙の識別データと前記投票操作の行われた投票所の識別データと前記投票操作の行われた投票装置の識別データと前記投票操作の投票結果データとを記録した記録媒体からデータを読み出す開票機能と、
入力手段から複数の選挙について不在者投票の投票結果を受け付ける不在者投票受付機能と、
前記開票機能によって読み出されたデータと前記不在者投票の投票結果とに基づいて、前記複数の選挙の集計結果を求める集計機能と、
前記複数の選挙の識別データ毎に、前記開票機能による開票状態、前記不在者投票の投票結果の受け付け状態、前記開票機能によって読み出されたデータの集計状態、前記開票機能によって読み出されたデータと前記不在者投票の投票結果との総合集計状態、を一画面で表示手段によって表示する機能と
を実現させるためのプログラム。
【請求項１１】
電子投票システムの投票装置により、投票者の投票可能な選挙について投票操作を受け付ける電子投票方法において、
前記投票者に与えられる第１の記録媒体に記録されている前記投票可能な選挙の識別データと前記投票可能な選挙について投票済みか未投票かを示す判定データとを読み出し、
前記判定データに基づいて前記投票可能な選挙の中から未投票の選挙を識別し、
入力手段から前記未投票の選挙に対する投票留保の指示を受け付け、又は前記入力手段から前記未投票の選挙のうち前記投票留保を指示されない選挙について投票操作を受け付け、
前記第１の記録媒体に記録されている判定データを、前記投票者が投票操作を行った選挙について投票済みを示す状態に変更するとともに、前記投票者が投票操作を行った選挙の投票結果を第２の記録媒体に記録する
ことを特徴とする電子投票方法。
【請求項１２】
電子投票システムの受付装置により、投票者を確認して前記投票者の投票可能な選挙の識別データを記録する記録媒体の発行を管理する電子投票方法において、
記録手段から前記投票者の識別データと前記投票者の投票可能な選挙の識別データと前記投票可能な選挙について前記投票者が投票済みか未投票かを示す台帳判定データとを関係付けた台帳データを読み出し、
前記台帳データの前記台帳判定データについて、前記投票者が投票操作を行った選挙について投票済みを示す状態に変更し、前記投票者が投票留保を指示した選挙について未投票を示す状態を継続し、前記記録手段の台帳データを更新することを特徴とする電子投票方法。
【請求項１３】
請求項１２記載の電子投票方法において、
前記記録媒体は、前記投票可能な選挙の識別データと前記投票可能な選挙について投票済みか未投票かを示す判定データと前記投票者の識別データとを記録し、前記投票者が投票操作を行った選挙について投票済みを示す状態に前記判定データが変更され、前記投票者が投票留保を指示した選挙について前記判定データが未投票を示す状態であり、
前記台帳データを読み出すとともに、前記記録媒体に記録されたデータを読み出すとし、
前記台帳データの前記台帳判定データは、前記記録媒体から読み出されたデータに基づいて更新される
ことを特徴とする電子投票方法。
【請求項１４】
電子投票システムの開票集計装置により、投票者の投票可能な選挙について前記投票者によって投票装置に対して行われた投票操作による投票結果を開票し集計する電子投票方法において、
前記投票操作の行われた選挙の識別データと前記投票操作の行われた投票所の識別データと前記投票操作の行われた投票装置の識別データと前記投票操作の投票結果データとを記録した記録媒体からデータを読み出すとともに、入力手段から複数の選挙について不在者投票の投票結果を受け付け、
前記記録媒体から読み出されたデータと前記不在者投票の投票結果とに基づいて、前記複数の選挙の集計結果を求め、
前記複数の選挙の識別データ毎に、前記記録媒体からのデータの読み出し状態、前記不在者投票の投票結果の受け付け状態、前記記録媒体から読み出されたデータの集計状態、前記記録媒体から読み出されたデータと前記不在者投票の投票結果との総合集計状態、を一画面で表示手段によって表示する
ことを特徴とする電子投票方法。
【発明の詳細な説明】
【０００１】
【発明の属する技術分野】
本発明は、投票者からこの投票者の投票可能な選挙について投票を受け付ける電子投票システム及びプログラム並びに電子投票方法に関する。
【０００２】
【従来の技術】
一般的な選挙では、受付、開票、集計等の作業の多くが人手により行われている。このため、選挙事務の作業量と経費の増大、開票・集計ミス、判読不明票の発生が問題となる。このような問題を解決するために、特許文献１及び特許文献２では、受付、投票、開票集計の一連の作業を電子的に行う電子投票が提案されている。
【０００３】
電子投票では、投票者を確認し、いわゆる「なりすまし」を排除するために、電子化された選挙人名簿データを用いて、受付にて投票者が確認される。
【０００４】
また、電子投票では、一つの選挙に対して一人の投票者が一回のみ投票可能とするために、投票者を識別するＩＤを発行登録し、このＩＤの入力により重複投票をチェックしたり（特許文献１）、投票者の投票可能な選挙を識別するための投票カードが受付で与えられる。投票カードに記録されているデータは、暗号化され、偽造が防止される。
【０００５】
【特許文献１】
特開平８−１６６８０号公報
【０００６】
【特許文献２】
特開２００２−２２２２８９号公報
【０００７】
【発明が解決しようとする課題】
上記従来の電子投票システムでは、投票者は、複数の選挙について候補者を選択するか、あるいは候補者の選択を放棄（棄権）して終了する。投票の放棄は投票者が白票を投じた状態を意味する。
【０００８】
しかしながら、投票者は、複数の選挙のうち一部の選挙について候補者を選択するか投票を放棄し、他の選挙については候補者を選択することなく投票を放棄することもなく、候補者の選択を一時的に留保（保留）し、後に候補者を選択したい場合がある。従来の技術においては、再投票の場合、投票者を識別するＩＤに基づき、投票データを修正することにより、重複投票の対策を図っている。
【０００９】
このような一部の選挙について投票を留保する場合については、従来の電子投票システムで何ら検討されていない。
【００１０】
また、一般的な電子投票システムでは、図２１に示すように、選挙の識別データ（例えば選挙の名称など）１、投票所の識別データ（例えば投票所の場所など）２、投票端末の識別データ（例えば端末番号）３などを含むヘッダ情報４に対して、選択された候補者や政党、白票を示す複数の投票結果データ５１〜５ｎを付加した形式の投票データ６が作成され、この投票データ６が一つのファイル７に記録される。そして、この投票データ６に基づいて集計が行われる。すなわち、従来の電子投票システムでは、複数の投票結果データ５１〜５ｎが一つのファイル７で管理される。
【００１１】
しかしながら、このように、一つのヘッダ情報４に複数の投票結果データ５１〜５ｎを付加した投票データ６では、投票データ６の一部に障害が発生した場合に、この投票データ６に含まれている多数の投票結果データ５１〜５ｎが無効となる場合がある。
【００１２】
また、従来の電子投票システムでは、開票、集計作業を電子的に行うものの、開票動作の進行状態や集計動作の進行状態を表示することについては何ら検討されていない。したがって、選挙の開票動作の進行状態や集計動作の進行状態を把握することは、困難であった。
【００１３】
本発明は、以上のような実情に鑑みてなされたもので、信頼性及び操作性の高い電子投票システム及びプログラム並びに電子投票方法を提供することを目的とする。
【００１４】
【課題を解決するための手段】
本発明を実現するにあたって講じた具体的手段について以下に説明する。
【００１５】
第１の発明は、投票者の投票可能な選挙について投票操作を受け付ける電子投票システムの投票装置において、投票者に与えられる記録媒体に記録されている投票可能な選挙の識別データと投票可能な選挙について投票済みか未投票かを示す判定データとを読み出す手段と、判定データに基づいて投票可能な選挙の中から未投票の選挙を識別する手段と、未投票の選挙に対する投票留保の指示を受け付ける留保インタフェース手段と、未投票の選挙のうち投票留保を指示されない選挙について投票操作を受け付ける投票受付手段と、記録媒体に記録されている判定データを、投票者が投票操作を行った選挙について投票済みを示す状態に変更する更新手段と、投票者が投票操作を行った選挙について投票結果を記録する手段とを具備する。
【００１６】
第２の発明は、投票者を確認して投票者の投票可能な選挙の識別データを記録する記録媒体の発行を管理する電子投票システムの受付装置において、投票者の識別データと投票者の投票可能な選挙の識別データと投票可能な選挙について投票者が投票済みか未投票かを示す台帳判定データとを関係付けた台帳データを読み出す手段と、台帳データの台帳判定データについて、投票者が投票操作を行った選挙について投票済みを示す状態に変更し、投票者が投票留保を指示した選挙について未投票を示す状態を継続する更新手段とを具備する。
【００１７】
第３の発明は、上記第２の発明の受付装置において、記録媒体は、投票可能な選挙の識別データと投票可能な選挙について投票済みか未投票かを示す判定データと投票者の識別データとを記録し、投票者が投票操作を行った選挙について投票済みを示す状態に判定データが変更され、投票者が投票留保を指示した選挙について判定データが未投票を示す状態であり、記録媒体に記録されたデータを読み出す手段を付加し、更新手段は、記録媒体から読み出されたデータに基づいて前記台帳データを更新する。
【００１８】
上記第１から第３の発明により、投票者は投票可能な選挙のうち一部の選挙については投票操作を行い、他の選挙については投票を留保することができる。
【００１９】
第４の発明は、投票者の投票可能な選挙について投票者による投票操作を受け付ける電子投票システムの投票装置において、投票可能な選挙について投票操作を受け付ける投票受付手段と、投票操作の行われた選挙の識別データと投票操作の行われた投票所の識別データと投票操作の行われた投票装置の識別データと投票操作の投票結果データとを、一投票に対し一ファイルの形式で記録媒体に記録する手段とを具備する。
【００２０】
第５の発明は、投票者の投票可能な選挙について投票者によって投票装置に対して行われた投票操作による投票結果を開票し集計する電子投票システムの開票集計装置において、投票操作の行われた選挙の識別データと投票操作の行われた投票所の識別データと投票操作の行われた投票装置の識別データと投票操作の投票結果データとを、一投票に対し一ファイルの形式で記録した記録媒体からデータを読み出す開票手段と、複数の選挙について不在者投票の投票結果を受け付ける不在者投票受付手段と、開票手段によって読み出されたデータと不在者投票の投票結果とに基づいて、複数の選挙の集計結果を求める集計手段とを具備する。
【００２１】
上記第４及び第５の発明により、一投票が一ファイルで記録されるため、投票結果データの保全性を向上させることができ、ファイルに記録されたデータの異常により無効となる票を削減でき、選挙の結果の信頼性を向上させることができる。
【００２２】
第６の発明は、投票者の投票可能な選挙について投票者によって投票装置に対して行われた投票操作による投票結果を開票し集計する電子投票システムの開票集計装置において、投票操作の行われた選挙の識別データと投票操作の行われた投票所の識別データと投票操作の行われた投票装置の識別データと投票操作の投票結果データとを記録した記録媒体からデータを読み出す開票手段と、複数の選挙について不在者投票の投票結果を受け付ける不在者投票受付手段と、開票手段によって読み出されたデータと不在者投票の集計結果とに基づいて、複数の選挙の集計結果を求める集計手段と、複数の選挙の識別データ毎に、開票手段による開票状態、不在者投票の投票結果の受け付け状態、開票手段によって読み出されたデータの集計状態、開票手段によって読み出されたデータと不在者投票の投票結果との総合集計状態、を一画面上に表示する手段とを具備する。
【００２３】
この第６の発明により、複数の選挙の全体について開票状態、集計状態を把握することができ、開票作業、集計作業を効率化、省力化できる。
【００２４】
上記第１から第６の発明の電子投票システムの各装置に具備される各手段は、この各装置がプログラムを読み込むことにより実現されるとしてもよい。
【００２５】
このプログラム又はこのプログラムを記録した記録媒体を用いることによって、上記各手段を有していない電子投票システムの各装置、コンピュータ、コンピュータシステム、サーバ、クライアントに対して、簡単に上記各手段としての機能を付加することができる。
【００２６】
上記第１から第６の発明の電子投票システムの各装置によって実行される電子投票方法を発明の対象とすることもできる。
【００２７】
【発明の実施の形態】
以下、図面を参照しながら本発明の実施の形態について説明する。なお、以下の各図において同一の部分については同一の符号を付する。
【００２８】
本実施の形態においては、投票可能な選挙のうち一部の選挙について投票操作を行い、他の選挙について投票を留保可能とする電子投票システムについて説明する。
【００２９】
図１は、本実施の形態に係る電子投票システムの構成の一例を示すブロック図である。なお、この図１においては、本実施の形態に係わる特徴的な構成要素のみを図示しており、他の一般的な部分については省略している。
【００３０】
電子投票システムは、選挙事務管理システム８、受付端末９、投票端末１０、開票集計システム１１とを具備する。
【００３１】
まず、選挙事務管理システム８、受付端末９、投票端末１０、開票集計システム１１の基本的な機能について説明する。
【００３２】
選挙事務管理システム８は、選挙人名簿（投票者名簿）データ１２ａの管理、不在者投票の管理、選挙スケジュールの管理、各選挙の候補者を示す候補者データの管理などを行い、選挙事務運営を支援する。
【００３３】
選挙事務管理システム８は、選挙人名簿データ１２ａを記録媒体１２に記録する。
【００３４】
選挙人名簿データ１２ａには、投票者の識別データ（例えば投票者の名前）、生年月日、年齢、住所などが記録されている。
【００３５】
受付端末９は、記録媒体１２に記録された選挙人名簿データ１２ａを読み出し、投票所での投票者の管理、投票所で投票者に与えられる投票カード１３の発行、投票者数の集計を行う。
【００３６】
投票カード１３には、例えばＩＣカード、磁気カードなどの記録媒体が利用される。投票カード１３には、投票者の識別データ、投票者の投票可能な選挙の識別データ、投票可能な選挙について投票済みか未投票かを示すフラグなどが記録されている。フラグは、初期的には未投票を示す。
【００３７】
投票端末１０は、投票者に発行された投票カード１３に記録されている各種データを読み出す。
【００３８】
また、投票端末１０は、投票者の投票可能な選挙について投票操作を受け付ける。例えば、投票操作には、候補者の選択、政党の選択、候補者又は政党を選択することなく投票を放棄（棄権）する旨（白票）の選択などがある。
【００３９】
そして、投票端末１０は、例えばコンパクトフラッシュなどの投票記録媒体１４に、投票結果データを含む投票データを記録する。
【００４０】
開票集計システム１１は、各投票所の各投票端末から回収した投票記録媒体１４から投票データを読み出して開票作業を実行し、集計処理を実行し、集計結果を出力する。
【００４１】
次に、受付端末９、投票端末１０、開票集計システム１１の特徴的な構成について説明する。
【００４２】
受付端末９は、記録媒体１５に記録されているプログラム１６を読み出して実行する。
【００４３】
プログラム１６は、受付端末９に読み込まれ、実行されると、選挙人名簿記録部１７、投票カード読み出し部１８、台帳データ読み出し部１９、更新部２０として機能する。
【００４４】
本実施の形態に係る受付端末９は、プログラム１６により選挙人名簿記録部１７、投票カード読み出し部１８、台帳データ読み出し部１９、更新部２０としての機能を実現しているが、この図１に示す受付端末９の各構成要素１７〜２０をハードウェアにより実現させてもよい。
【００４５】
上記受付端末９の各構成要素１７〜２０によって扱われるデータは、記録装置２１に記録される。各構成要素１７〜２０は、記録装置２１に記録されたデータを読み込み、自己の扱うデータを書き込み可能である。記録装置２１としては、例えば内部メモリ等が適用される。
【００４６】
選挙人名簿記録部１７は、記録媒体１２に記録されている選挙人名簿データ１２ａを読み出し、記録装置２１に記録する。又は、選挙事務管理システム８と受付端末９を直接通信回線で接続して、記録媒体１２に記録されているデータと同じ内容を記録装置２１に記録する。
【００４７】
投票カード読み出し部１８は、投票者が一部の選挙について投票を留保し、後ほど留保した選挙について投票を行う場合に、カードリーダ・ライタ２３から投票カード１３に記録されたデータを読み出す。
【００４８】
台帳データ読み出し部１９は、記録装置２１に記録されている台帳データ２２を読み出す。台帳データ２２には、例えば、投票者についてこの投票者の投票可能な選挙の識別データ、投票可能な選挙について投票済みか未投票かを示すフラグ（台帳判定データ）が含まれる。
【００４９】
更新部２０は、投票カード１３に記録されている投票可能な選挙毎のフラグに基づいて、この投票カード１３の与えられた投票者について投票可能な選挙毎に投票済みか未投票かを管理するデータを更新する。
【００５０】
投票端末１０は、カードリーダ・ライタ２４、例えばタッチパネルなどの入力装置２５、例えばディスプレイなどの出力装置２６を具備する。
【００５１】
投票端末１０は、記録媒体２７に記録されているプログラム２８を読み出して実行する。
【００５２】
プログラム２８は、投票端末１０に読み込まれ、実行されると、投票カード読み出し部２９、未投票識別部３０、留保インタフェース部３１、投票受付部３２、投票カード更新部３３、投票結果記録部３４として機能する。
【００５３】
本実施の形態に係る投票端末１０は、プログラムにより投票カード読み出し部２９、未投票識別部３０、留保インタフェース部３１、投票受付部３２、投票カード更新部３３、投票結果記録部３４としての機能を実現しているが、この図１に示す投票端末１０の各構成要素２９〜３４をハードウェアにより実現させてもよい。
【００５４】
上記投票端末１０の各構成要素２９〜３４によって扱われるデータは、記録装置３５に記録される。各構成要素２９〜３４は、記録装置３５に記録されたデータを読み込み、自己の扱うデータを書き込み可能である。記録装置３５としては、例えば内部メモリ等が適用される。
【００５５】
投票カード読み出し部２９は、カードリーダ・ライタ２４を用いて投票カード１３に記録されているデータを読み出す。
【００５６】
未投票識別部３０は、投票カード１３に記録されていたフラグに基づいて、投票者の投票可能な選挙のうち投票済みの選挙と未投票の選挙とを識別する。
【００５７】
留保インタフェース部３１は、出力装置２６に表示されている画面上に「留保」ボタンを表示し、「留保」ボタンの選択指示を入力装置２５から受け付ける。
【００５８】
投票受付部３２は、未投票識別部３０によって未投票と識別された選挙について投票者が入力装置２５に対して行った投票操作を受け付ける。
【００５９】
また、投票受付部３２は、未投票識別部３０によって未投票と識別された選挙であっても留保インタフェース部３１で留保指示のされた選挙については投票操作の受け付けを省略する。
【００６０】
投票カード更新部３３は、カードリーダ・ライタ２４にセットされている投票カード１３に対して、投票操作の行われた選挙のフラグを投票済みに更新する。
【００６１】
投票結果記録部３４は、選挙の識別データと投票受付部３２によって受け付けられたこの選挙の投票結果データとを含む投票データを、一投票一ファイルの形式で投票記録媒体１４に記録する。
【００６２】
開票集計システム１１は、例えばマウスやキーボードなどの入力装置３６、ディスプレイなどの出力装置３７を具備する。
【００６３】
開票集計システム１１は、記録媒体３８に記録されているプログラム３９を読み出して実行する。
【００６４】
プログラム３９は、開票集計システム１１に読み込まれ、実行されると、開票部４０、不在者投票受付部４１、集計部４２、画面制御部４３として機能する。
【００６５】
本実施の形態に係る開票集計システム１１は、プログラム３９により開票部４０、不在者投票受付部４１、集計部４２、画面制御部４３としての機能を実現しているが、この図１に示す開票集計システム１１の各構成要素４０〜４３をハードウェアにより実現させてもよい。
【００６６】
上記開票集計システム１１の各構成要素４０〜４３によって扱われるデータは、記録装置４４に記録される。各構成要素４０〜４３は、記録装置４４に記録されたデータを読み込み、自己の扱うデータを書き込み可能である。記録装置４４としては、例えば内部メモリ等が適用される。
【００６７】
開票部４０は、投票記録媒体１４に一投票一ファイルの形式で記録されている投票データを読み出す。
【００６８】
不在者投票受付部４１は、複数の選挙について不在者投票の投票結果を受け付ける。不在者投票の投票結果は、ある程度集計された状態であってもよい。
【００６９】
集計部４２は、開票部４０によって読み出され開票された投票データと、不在者投票受付部４１で受け付けられた投票結果とに基づいて、複数の選挙の集計結果を求める。
【００７０】
画面制御部４３は、複数の選挙の名称毎に、投票データの開票状態、不在者投票の受け付け状態、開票された投票データの集計状態、不在者投票の集計状態、開票された投票データと不在者投票との総合集計状態、を一画面上に表示する集計フロー画面データを作成し、出力装置３７に出力する。
【００７１】
図２は、集計フロー画面の一例を示す図である。
【００７２】
上述したように、集計フロー画面４５上には、複数の選挙名毎に、電子投票システムによる開票状態（開票率）、不在者投票の投票結果を受け付けることによる不在者投票の開票状態（開票率）、開票された投票データの電子投票集計状態（電子投票による投票の集計結果の確定／未確定）、不在者投票の集計状態（不在者投票の集計結果の確定／未確定）、投票データと不在者投票の総合集計状態（確定／未確定）が表示される。
【００７３】
また、集計フロー画面４５上には、総合集計状態が確定となった場合に、「開票録作成」ボタンが表示される。
【００７４】
この「開票録作成」ボタンが押された場合、複数の選挙の投票結果を記載した開票録が印刷される。
【００７５】
図３は、投票端末１０によって表示される画面の遷移状態の一例を示す図である。各画面４６〜５３の表示は、投票受付部３２によって実現される。なお、この図３では、候補者の名前を選択する選挙の場合を例として説明しているが、政党を選択する選挙の場合も同様である。
【００７６】
投票端末１０は、まず図４に示す投票カード１３の挿入を促すカード挿入指示画面４６を表示する。
【００７７】
投票カード１３が投票端末１０に挿入されると、投票端末１０は、図５に示すような、投票者が候補者名を選択するか、候補者番号を指定するか、検索を行うか、選択するための選択画面４７を表示する。
【００７８】
投票端末１０は、選択画面４７にしたがって選択された図６に示す候補者名選択画面４８、図７に示す候補者番号指定画面４９、図８に示す検索画面５０のいずれかを表示する。
【００７９】
候補者名選択画面４８には、選挙名とその選挙の候補者の名前が表示される。候補者の名前の下にその候補者の所属する政党名又は無所属である旨が記載される。なお、候補者の名前の上に、政党名又は無所属である旨を記載してもよい。
【００８０】
候補者名選択画面４８上には、投票を放棄する場合に選択される「投票しないで終了する」ボタンが表示されている。
【００８１】
また、候補者名選択画面４８上には、投票を留保する場合に選択される「投票留保」ボタンが表示されている。
【００８２】
投票端末１０は、候補者の名前の選択結果、投票を放棄する指示、又は投票を留保する旨の指示を入力する。
【００８３】
候補者番号指定画面４９には、選挙名と候補者番号を指定するための数字が表示される。また、「投票しないで終了する」ボタン、「投票留保」ボタンが表示されている。
【００８４】
投票端末１０は、投票したい候補者の番号、投票を放棄する指示、又は投票を留保する旨の指示を入力する。
【００８５】
検索画面５０には、５０音の文字が表示される。投票端末１０は、投票者によって選択された文字を含む候補者の名前を検索し、検索された候補者名を上記候補者名選択画面４８と同様の形式で表示する検索結果表示画面５１を表示する。投票端末１０は、候補者の名前の選択結果、投票を放棄する指示、投票を留保する旨の指示を入力する。
【００８６】
投票端末１０は、図９に示す投票者の指定内容を確認するための確認画面５２を表示する。
【００８７】
確認画面５２上には、「投票」ボタン、「訂正」ボタンが表示されている。確認画面５２の「投票」ボタンが指定された場合に、図１０に示す投票終了を示す投票終了画面５３を表示する。
【００８８】
なお、図６、図７、図８の投票するための各画面に、投票を留保するための「投票留保」ボタンが存在するが、図９に示すように、投票の確認画面にも、最終的に投票を留保することができるようにするために「投票留保」ボタンを設けるとよい。
【００８９】
他に投票が終了又は留保されていない選挙があれば、その選挙について選択画面４７又は画面４８〜５０のいずれかが表示され、同様の画面遷移が繰り返される。
【００９０】
受付端末９に記録される台帳データ２２は、主に選挙データ２２ａ、候補者データ２２ｂ、投票所データ２２ｃ、投票可能選挙データ２２ｄとを含む。
【００９１】
図１１は、投票カード１３の発行を管理する受付端末９に記録されている選挙データ２２ａの構造の一例を示す図である。
【００９２】
選挙データ２２ａは、選挙毎に、選挙を識別するためのデータである選挙番号、選挙名、選挙の実行される日付、選挙名のかな表記、定数、候補者数、選挙種別、政党名の表示位置、候補者名の表示方法から構成される。
【００９３】
図１２は、候補者データ２２ｂの構造の一例を示す図である。
【００９４】
候補者データ２２ｂは、候補者毎に、候補者を識別するためのデータである候補者番号、候補者の立候補した選挙番号、候補者名、候補者の立候補した地区名、政党名、他の候補者との関係で画面に表示される場合の表示順序から構成される。
【００９５】
図１３は、投票所データの構造の一例を示す図である。
【００９６】
投票所データ２２ｃは、各投票所について、都道府県コード、都道府県名称、区市町村コード、区市町村名称、投票区番号、投票区名称、投票所番号、投票所名称、バージョン情報から構成される。
【００９７】
図１４は、投票可能選挙データ２２ｄの構造の一例を示す図である。
【００９８】
投票可能選挙データは、投票者の識別データ（投票者の名称など）毎に、この投票者の投票可能な選挙の識別データ（選挙名など）と投票済みか未投票かを示すフラグとから構成される。
【００９９】
図１５は、受付端末９によって発行された投票カード１３に記録されているデータの構造の一例を示す図である。この投票カード１３に記録されるデータ１３ａは、選挙人名簿データ１２ａ、台帳データ２２に基づいて投票者に応じて作成される。
【０１００】
投票カード１３に記録されるデータ１３ａは、その投票カード１３を持つ投票者の識別データ、投票カードの種別、都道府県コード、区市町村コード、投票区番号、投票所番号、カード発行日時、投票可能な選挙の識別データ（選挙名など）、投票済みか未投票かを示すフラグから構成される。
【０１０１】
図１６は、投票端末１０によって一投票一ファイルの形式で記録された投票データの一例を示すブロック図である。
【０１０２】
投票データ１４１は、選挙の識別データ（選挙番号）、投票区番号、投票所番号、投票端末の識別データ（投票端末番号）、投票者による投票の結果を示す一つの投票結果データから構成される。他の投票データ１４２〜１４ｎも同様である。
【０１０３】
投票データ１４１〜１４ｎは、個別にファイル５４１〜５４ｎに記録され、複数のファイル５４１〜５４ｎが投票記録媒体１４に記録される。
【０１０４】
上記のような構成を持つ電子投票システムに関する処理について説明する。
【０１０５】
図１７は、本実施の形態に係る電子投票システムにより投票を行う投票者の一般的な作業フローの一例を示す図である。
【０１０６】
ステップＳ１において、投票者は、郵送された投票ハガキを持参して投票所にいく。
【０１０７】
ステップＳ２において、投票者は、投票所の受付で投票ハガキを提出する。
【０１０８】
ステップＳ３において、投票者は、受付において本人確認を受ける。この受付における投票者の確認には、受付端末９が利用される。
【０１０９】
ステップＳ４において、投票者は、本人と確認されると、自己の投票可能な選挙の識別データを記録する投票カード１３の発行を受ける。投票カード１３の発行は、受付端末９によって管理される。
【０１１０】
ステップＳ５において、投票者は、発行された投票カード１３を投票端末１０の具備するカードリーダ・ライタ２４のカード挿入口に挿入する。
【０１１１】
ステップＳ６において、投票者は、投票可能な選挙の中から選択された任意の選挙について投票操作を行うか、投票を留保するかを選択し、結果を投票端末１０に入力する。
【０１１２】
投票操作を選択した場合、ステップＳ７において、投票者は、投票端末１０に対して投票操作を行う。投票端末１０は、投票カード１３に記録されている投票操作の行われた選挙のフラグを投票済みに変更し、投票データを投票記録媒体１４に記録する。
【０１１３】
一方、投票の留保を選択した場合、ステップＳ８において、投票者は、投票を留保する旨の指示を投票端末１０に入力する。
【０１１４】
ステップＳ９において、投票者は、投票可能な選挙が残っている場合には上記ステップＳ６以下の作業を繰り返す。
【０１１５】
ステップＳ１０において、投票者は、いずれかの投票について留保を指示した場合、ステップＳ１１において、投票者は、投票カード１３を受付に一時返却し、上記ステップＳ３以下の作業を繰り返す。
【０１１６】
図１８は、本実施の形態に係る投票端末１０による投票操作の受付処理の一例を示すフローチャートである。
【０１１７】
ステップＴ１において、投票端末１０は、投票カード１３に記録されている投票可能な選挙情報の識別データ（選挙名など）、投票可能な選挙についてのフラグを読み出す。
【０１１８】
ステップＴ２において、投票端末１０は、フラグに基づいて、投票可能であり未投票であり留保の指定のされていない選挙を識別し、選択する。
【０１１９】
ステップＴ３において、投票端末１０は、選択された未投票の選挙について投票留保の指示を受け付けるか、または投票操作を受け付ける。
【０１２０】
投票が留保されず投票操作が行われた場合に、ステップＴ４において、投票端末１０は、投票カード１３に記録されているこの投票操作の行われた選挙についてのフラグを投票済みに変更する。
【０１２１】
また、ステップＴ５において、投票端末１０は、投票者が投票操作を行った選挙について一投票一ファイルの形式で投票データを投票記録媒体１４に記録する。
【０１２２】
なお、上記ステップＴ４とＴ５は、逆の順序で実行されてもよく、並列に実行されてもよい。
【０１２３】
ステップＴ６において、投票端末１０は、投票者が投票可能であり未投票であり留保の指示のされていないすべての選挙が選択され、この選択された選挙について投票操作又は投票留保の指示が行われたか否か判定する。
【０１２４】
投票可能な選挙の全てについて投票操作又は投票留保の指示が行われている場合、投票端末１０は、投票操作の受け付け処理を終了する。
【０１２５】
一方、投票可能な選挙の全てについて投票操作又は投票留保の指示が行われていない場合、投票端末１０は、上記ステップＴ２以下の処理を繰り返す。
【０１２６】
図１９は、本実施の形態に係る受付端末９の台帳データ更新処理の一例を示すフローチャートである。
【０１２７】
ステップＵ１において、受付端末９は、受付に返却された投票カード１３に記録されているデータ１３ａと自己の管理している台帳データ２２とを読み出す。
【０１２８】
ステップＵ２において、受付端末９は、投票カード１３に記録されている投票可能な選挙についてのフラグにしたがって、台帳データ２２に含まれている投票者の投票可能な選挙についてのフラグを更新する。これにより、投票所の受付にて、投票者について投票可能な選挙と投票済みか未投票かを管理できる。
【０１２９】
図２０は、本実施の形態に係る開票集計システムの開票集計処理の一例を示すフローチャートである。
【０１３０】
ステップＶ１において、開票集計システム１１は、投票記録媒体１４に記録されている投票データを読み出すとともに、入力装置３６によって入力された不在者投票の投票結果を受け付ける。
【０１３１】
ステップＶ２において、開票集計システム１１は、投票記録媒体１４に記録されている投票データと不在者投票の投票結果とに基づいて、複数の選挙の集計結果を求める。
【０１３２】
ステップＶ３において、開票集計システム１１は、集計結果にしたがって集計フロー画面４５を出力装置３７に表示する。
【０１３３】
以上説明した本実施の形態において、投票者は、例えば、自己の投票可能な選挙のうち一部のみについて投票を行い、他の選挙については投票を留保して投票所を離れ、その後投票所を再訪問して留保した選挙について投票を行うことができる。
【０１３４】
また、本実施の形態においては、投票データが一投票につき一ファイルで管理されるため、データに障害が発生した場合であっても無効となる投票の数を削減でき、データの保全性を向上させることができる。したがって、投票の集計結果の信頼性を向上させることができる。
【０１３５】
さらに、本実施の形態においては、複数の選挙についての開票状態、集計状態が一画面上に表示される。したがって、開票集計の進行状態を容易に把握でき、開票集計システム１１の操作性が向上する。また、ある投票端末１０によって記録された投票記録媒体１４から投票データを読み出す作業を忘れるなどのエラーを防止できる。
【０１３６】
また、本実施の形態に係る電子投票システムを用いることで、選挙に必要な運営費を削減でき、開票作業量が削減され、開票事務の省力化が実現される。
【０１３７】
また、本実施の形態に係る電子投票システムを用いることで、開票・集計が自動化され、人手によるミスを解消することができ、判読不明の票がなくなるため疑問票をなくすことができる。
【０１３８】
なお、本実施の形態において、投票端末１０は、タッチパネルなどの入力装置２５によって投票操作又は留保する旨の指示を受け付ける。しかしながら、入力装置２５として、例えば、点字を配置したキーボード、触覚で数字などを把握可能とするために表面に凹凸を持たせた凸刻ボタンなどを適用してもよい。
【０１３９】
また、本実施の形態に係る受付端末９、投票端末１０、開票集計システム１１の各構成要素は、同様の動作を実現可能であれば配置を変更させてもよく、また各構成要素を自由に組み合わせてもよく、各構成要素を自由に分割してもよい。
【０１４０】
また、本実施の形態において、開票集計システム１１は、は複数の計算機により構成され、プログラム３９は複数の計算機に分散して配置され、互いに連携を取りつつ処理を実行するとしてもよい。
【０１４１】
本実施の形態に係るプログラム１６、２８、３９は、例えば磁気ディスク（フレキシブルディスク、ハードディスク等）、光ディスク（ＣＤ−ＲＯＭ、ＤＶＤ等）、半導体メモリなどの記録媒体に書き込んでコンピュータに適用可能である。またプログラム１６、２８、３９は、通信媒体により伝送してコンピュータに適用することも可能である。コンピュータは、記録媒体に記録されたプログラム１６、２８、３９を読み込み、プログラム１６、２８、３９によって動作が制御されることにより、上記の機能を実現する。
【０１４２】
【発明の効果】
以上詳記したように本発明においては、電子投票システムによる選挙を効率的に実現し、集計結果の信頼性を向上させることができる。
【図面の簡単な説明】
【図１】本発明の実施の形態に係る電子投票システムの構成の一例を示すブロック図。
【図２】集計フロー画面の一例を示す図。
【図３】同実施の形態に係る投票装置によって表示される画面の遷移状態の一例を示す図。
【図４】カード挿入指示画面の一例を示す図。
【図５】選択画面の一例を示す図。
【図６】候補者名選択画面の一例を示す図。
【図７】候補者番号指定画面の一例を示す図。
【図８】検索画面の一例を示す図。
【図９】確認画面の一例を示す図。
【図１０】投票終了画面の一例を示す図。
【図１１】同実施の形態に係る受付端末に記録されている選挙データの構造の一例を示す図。
【図１２】同実施の形態に係る受付端末に記録されている候補者データの構造の一例を示す図。
【図１３】同実施の形態に係る受付端末に記録されている投票所データの構造の一例を示す図。
【図１４】同実施の形態に係る受付端末に記録されている投票可能選挙データの構造の一例を示す図。
【図１５】同実施の形態に係る受付端末によって発行された投票カードに記録されているデータの構造の一例を示す図。
【図１６】同実施の形態に係る投票端末によって一投票一ファイルの形式で記録された投票データの一例を示すブロック図。
【図１７】同実施の形態に係る電子投票システムにより投票を行う投票者の一般的な作業の一例を示すフローチャート。
【図１８】同実施の形態に係る投票端末による投票操作の受付処理の一例を示すフローチャート。
【図１９】同実施の形態に係る受付端末の台帳データ更新処理の一例を示すフローチャート。
【図２０】同実施の形態に係る開票集計システムの開票集計処理の一例を示すフローチャート。
【図２１】従来の投票データとファイルの関係の例を示す図。
【符号の説明】
８…選挙事務管理システム
９…受付端末
１０…投票端末
１１…開票集計システム
１３…投票カード
１４…投票記録媒体
１８、２９…投票カード読み出し部
１９…台帳データ読み出し部
２０…更新部
３０…未投票識別部
３１…留保インタフェース部
３２…投票受付部
３３…投票カード更新部
３４…投票結果記録部
４０…開票部
４１…不在者投票受付部
４２…集計部
４３…画面制御部
４５…集計フロー画面
【図１】
2004133547.tif 000003
【図２】
2004133547.tif 000004
【図３】
2004133547.tif 000005
【図４】
2004133547.tif 000006
【図５】
2004133547.tif 000007
【図６】
2004133547.tif 000008
【図７】
2004133547.tif 000009
【図８】
2004133547.tif 000010
【図９】
2004133547.tif 000011
【図１０】
2004133547.tif 000012
【図１１】
2004133547.tif 000013
【図１２】
2004133547.tif 000014
【図１３】
2004133547.tif 000015
【図１４】
2004133547.tif 000016
【図１５】
2004133547.tif 000017
【図１６】
2004133547.tif 000018
【図１７】
2004133547.tif 000019
【図１８】
2004133547.tif 000020
【図１９】
2004133547.tif 000021
【図２０】
2004133547.tif 000022
【図２１】
2004133547.tif 000023